【事件の表示】
　特許第３０００８５３号「記録用インク」の請求項１ないし５に係る特許に対する特許異議の申立てについて、次のとおり決定する。
【結　論】
　訂正を認める。
　特許第３０００８５３号の請求項１ないし３に係る特許を維持する。
【理　由】
１．手続の経緯
　
　特許第３０００８５３号の請求項１〜５に係る発明の出願は、平成６年７月５日に特許出願され、平成１１年１１月１２日にその特許権の設定登録がなされ、その後、佐藤徹より特許異議の申立てがなされ、取消しの理由が通知され、その指定期間内である平成１３年８月２日に訂正請求がなされたものである。
　
２．訂正の適否についての判断
　
(1)訂正の内容
　
　特許権者が求めている訂正の内容は、以下の、Ｉ〜VIIのとおりである。
　
訂正事項Ｉ
（Ｉ−１）特許請求の範囲の請求項１について、
「【請求項１】 少なくとも水と、着色材である顔料と、水溶性高分子であるポリビニルピロリドンとを含有する記録用インクにおいて、ポリオキシエチレン鎖を有する物質を含むことを特徴とする記録用インク。」を
「【請求項１】 少なくとも水と、着色材である顔料と、水溶性高分子であるポリビニルピロリドンと、ポリオキシエチレン鎖を有する物質とを含有する記録用インクにおいて、
　前記ポリビニルピロリドンとして平均分子量約２千〜４０万の範囲のものを用い、
　さらに、前記ポリオキシエチレン鎖を有する物質として、ポリオキシエチレンアルキルアリールエーテル類、ポリオキシエチレンアルキルアミン類、ポリオキシエチレン脂肪酸アルカノールアミド類、ポリオキシエチレンソルビトール脂肪酸エステル類、ポリオキシエチレンアルキルアリールエーテル硫酸塩類の中から選択されたものを用いることを特徴とする記録用インク。」に訂正する。
（Ｉ−２）特許請求の範囲の請求項３，請求項４を削除する。
（Ｉ−３）特許請求の範囲の「【請求項５】」を「【請求項３】」に訂正する。
　
訂正事項II
　発明の詳細な説明の段落【0007】について、
「この目的を達成するために本発明の請求項１では、少なくとも水と、着色材である顔料と、水溶性高分子であるポリビニルピロリドンとを含有する記録用インクにおいて、ポリオキシエチレン鎖を有する物質を含むことを特徴とする。」を
「この目的を達成するために本発明の請求項１では、少なくとも水と、着色材である顔料と、水溶性高分子であるポリビニルピロリドンと、ポリオキシエチレン鎖を有する物質とを含有する記録用インクにおいて、前記ポリビニルピロリドンとして平均分子量約２千〜４０万の範囲のものを用い、さらに、前記ポリオキシエチレン鎖を有する物質として、ポリオキシエチレンアルキルアリールエーテル類、ポリオキシエチレンアルキルアミン類、ポリオキシエチレン脂肪酸アルカノールアミド類、ポリオキシエチレンソルビトール脂肪酸エステル類、ポリオキシエチレンアルキルアリールエーテル硫酸塩類の中から選択されたものを用いることを特徴とする。」に訂正する。
　
訂正事項III
　発明の詳細な説明の段落【0009】を削除する。
　
訂正事項IV
　発明の詳細な説明の段落【0010】を削除する。
　
訂正事項Ｖ
　発明の詳細な説明の段落【0011】の「請求項５では」を「請求項３では」に訂正する。
　
訂正事項VI
　発明の詳細な説明の段落【0012】について、
「上記の構成を有する本発明の記録用インクでは、前記ポリオキシエチレン鎖を有する物質が、前記水に溶解又は分散することで、ポリビニルピロリドンが水和から保護される。」を
「上記の構成を有する本発明の記録用インクでは、少なくとも水と、着色材である顔料と、水溶性高分子であるポリビニルピロリドンと、ポリオキシエチレン鎖を有する物質とを含有し、前記ポリビニルピロリドンとして平均分子量約２千〜４０万の範囲のものを用い、前記ポリオキシエチレン鎖を有する上記物質の中から選択されたものが、前記水に溶解又は分散することで、ポリビニルピロリドンが水和から保護される。」に訂正する。
　
訂正事項VII
　発明の詳細な説明の段落【0043】について、
「本発明の記録用インクによれば、前記ポリオキシエチレン鎖を有する物質が前記水に溶解又は分散された状態で、」を
「本発明の記録用インクによれば、少なくとも水と、着色材である顔料と、水溶性高分子であるポリビニルピロリドンと、ポリオキシエチレン鎖を有する物質とを含有し、前記ポリビニルピロリドンとして平均分子量約２千〜４０万の範囲のものを用い、前記ポリオキシエチレン鎖を有する上記物質の中から選択されたものが、前記水に溶解又は分散された状態で、」
に訂正する。
　
(2)訂正の目的の適否、新規事項の有無及び特許請求の範囲の拡張・変更の存否
　
　上記訂正事項（Ｉ−１）に関連する記載として、願書に添付した明細書（以下、「特許明細書」という）の発明の詳細な説明の【0017】に、「本発明の記録用インクに用いるポリビニルピロリドンとしては、平均分子量約２千〜４０万の範囲のものが望ましく」と記載され、同【0023】に「具体的には、ポリオキシエチレン系界面活性剤としては、・・・ポリオキシエチレンアルキルアリールエーテル類・・・、ポリオキシエチレンアルキルアミン類・・・、ポリオキシエチレン脂肪酸アルカノールアミド類・・・、ポリオキシエチレンソルビトール脂肪酸エステル類・・・、ポリオキシエチレンアルキルアリールエーテル硫酸塩類・・・が使用できる。」と記載されているから、これらのポリビニルピロリドン及びポリオキシエチレン鎖を有する物質を用いてなる発明は特許明細書に記載されているものと認められる。
　そうすると、上記訂正事項Ｉは、特許明細書に記載された事項の範囲内において限定したものといえるから、特許請求の範囲の減縮を目的とした明細書の訂正に該当する。
　上記訂正事項（Ｉ−２）は、請求項の削除であるから、特許請求の範囲の減縮を目的とした明細書の訂正に該当する。
　上記訂正事項（Ｉ−３）は、請求項３，４の削除にともなって請求項番号が繰り上がったものであるから、明りょうでない記載の釈明を目的とする明細書の訂正に該当する。
　
　上記訂正事項II〜VIIは、特許請求の範囲の訂正に伴い、特許請求の範囲の記載と発明の詳細な説明の記載との整合性を図るために、明りょうでない記載の釈明を目的とする明細書の訂正に該当するものである。
　
　そして、上記訂正事項は、いずれも、新規事項の追加に該当せず、また、実質上特許請求の範囲を拡張し、又は変更するものではない。
　
(3)結論
　
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議申立てについての判断
　
(1)異議申立ての理由の概要　
　
　申立人佐藤徹は、甲第１〜３号証を提出して、
　訂正前の請求項１〜５に係る発明は、甲第１〜３号証に記載された発明であるから、特許法第２９条第１項第３号に該当し特許を受けることができず、同請求項１〜５に係る発明は甲第１〜３号証に記載された発明に基いて当業者が容易に発明をすることができたものであるから特許法第２９条第２項の規定により特許を受けることができず、本件特許は取り消されるべきである旨、主張している。
（甲第１号証：特開昭６２−２７４７６号公報、甲第２号証：吉田時行他編「新版　界面活性剤ハンドブック」、平成３年１月２０日、第２版、工学図書株式会社発行、第２３８〜２３９頁、甲第３号証：特開昭５６−１４７８７１号公報）
　
(2)本件発明
　
　上記２．(3)で示したように上記訂正が認められるから、本件の請求項１〜３に係る発明（以下、「本件発明１〜３」という。）は、上記訂正請求に係る訂正明細書の特許請求の範囲の請求項１〜３に記載された事項により特定される次のとおりのものである。
　
「【請求項１】 少なくとも水と、着色材である顔料と、水溶性高分子であるポリビニルピロリドンと、ポリオキシエチレン鎖を有する物質とを含有する記録用インクにおいて、
　前記ポリビニルピロリドンとして平均分子量約２千〜４０万の範囲のものを用い、
　さらに、前記ポリオキシエチレン鎖を有する物質として、ポリオキシエチレンアルキルアリールエーテル類、ポリオキシエチレンアルキルアミン類、ポリオキシエチレン脂肪酸アルカノールアミド類、ポリオキシエチレンソルビトール脂肪酸エステル類、ポリオキシエチレンアルキルアリールエーテル硫酸塩類の中から選択されたものを用いることを特徴とする記録用インク。
【請求項２】 前記ポリオキシエチレン鎖を有する物質は、ｎが２以上である（ＣＨ2ＣＨ2Ｏ）nを有する物質であることを特徴とする請求項１記載の記録用インク。
【請求項３】 インクを噴射して被記録媒体に印字を行うインク噴射装置に用いられることを特徴とする請求項１記載の記録用インク。」
　
(3)異議申立人の提出した証拠方法及び当審が取消理由で引用した刊行物
　
　刊行物１（特開昭６２−２７４７６号公報：特許異議申立人の提出した甲第１号証）には、 「赤色顔料と、水溶性赤色染料と、高分子分散剤と、界面活性剤と、水性媒体とからなる記録用インキ。」（特許請求の範囲、請求項１）が記載され、これは「インキジェット記録用インキに関する」（第２頁左上欄第８〜９行）ものであって、その実施例９には、「赤色顔料であるC.I.Pigment Red 200、ポリビニルピロリドン、エマルゲン１４７、イオン交換水」を含有するの組成のインクが記載されており、ここで「エマルゲン１４７」とは、刊行物１第４頁左下欄第１〜１２行の記載によると、ポリオキシエチレンアルキルエーテル界面活性剤である。また、使用される界面活性剤として、この他にも「ＨＬＢ１１以上のポリオキシエチレンアルキルエーテルと、ＨＬＢ１１以上のポリオキシエチレンポリオキシプロピレンアルキルエーテルと、ポリオキシエチレンアルキルエーテル硫酸塩とからなる活性剤群の中の少なくとも１つから選ばれる」（第３頁右上欄第１〜５行）ものが例示されている。
　刊行物２（特開平４−８５３７５号公報：当審が平成１３年５月２８日付け取消理由通知書で引用した刊行物２）には、「顔料、ポリマー分散剤、水性媒体及び乾燥・凝集防止剤からなり、・・・（略）・・・上記乾燥・凝集防止剤が尿素と糖アルコールとの混合物であることを特徴とするインキジェット用インキ組成物。」（特許請求の範囲、請求項１）が記載され、これは、「ポリマー分散剤及び不揮発性有機溶剤を含む顔料インキに特定の乾燥・凝集防止剤を添加することによりインキの乾燥を遅延し、インキノズルが詰まることなく安定にインキが吐出」（第６頁左下欄第８〜１２行）するようにしたものであり、上記「ポリマー分散剤」には「ポリビニルピロリドン」も含まれて（第３頁左上欄第８行〜右上欄第８行）いる。
　刊行物３（特開昭５６−１４７８７１号公報：特許異議申立人の提出した甲第３号証）には、「顔料、高分子分散剤、非イオン性界面活性剤を含有する水性媒体から成ることを特徴とする記録液」（特許請求の範囲、請求項１）が記載され、これは、「長期保存に対して安定でインクジェット装置の目詰まりを起さない。」（第７頁右下欄第１９〜２０行）ものである。また、非イオン性界面活性剤として、ポリオキシエチレンノニルフェノールエーテル等が例示されている。
　刊行物４（吉田時行他編「新版　界面活性剤ハンドブック」、平成３年１月２０日、第２版、工学図書株式会社発行、第２３８〜２３９頁：特許異議申立人の提出した甲第２号証）には、界面活性剤のＨＬＢ等について記載されている。
　
(4)当審の判断
　
　本件発明１について
　
　刊行物１には、水と顔料とポリビニルピロリドンと界面活性剤とを含有する記録用インクについて記載されており、界面活性剤としてポリオキシエチレン鎖を持つポリオキシエチレンアルキルエーテル等が挙げられているが、訂正後の請求項１で特定するところの、「ポリオキシエチレンアルキルアリールエーテル類、ポリオキシエチレンアルキルアミン類、ポリオキシエチレン脂肪酸アルカノールアミド類、ポリオキシエチレンソルビトール脂肪酸エステル類、ポリオキシエチレンアルキルアリールエーテル硫酸塩類の中から選択されたもの」（以下「特定ＰＯＥ物質」という。）については記載も示唆もされていない。
　刊行物２には、水と顔料とポリマー分散剤を含有するインクジェット用インクについて記載があり、ポリマー分散剤としてポリビニルピロリドンが例示されており、かつ、乾燥・凝集防止剤として尿素と糖アルコールとの混合物は記載されているものの、特定ＰＯＥ物質については記載も示唆もされていない。
　刊行物３には、水と顔料と高分子分散剤と非イオン性界面活性剤を含有する記録用インクジェットについて記載があり、非イオン性界面活性剤として、特定ＰＯＥ物質に包含されるポリオキシエチレンノニルフェノールエーテルは例示されているものの、高分子分散剤のうちポリビニルピロリドンについては記載も示唆もされておらず、刊行物４は、界面活性剤の性状が記載されてはいるが、記録用インクについては記載も示唆もされていない。
　したがって、本件発明１は、刊行物１〜４に記載された発明ではない。
　
　刊行物１〜４のいずれにも、顔料の分散剤としてポリビニルピロリドンを使用したときに水和現象により保存安定性が悪くなることについて認識はなく、まして、それを解決するために特定ＰＯＥ物質を組み合わせることを示唆するような記載はないので、それらの記載からポリビニルピロリドンと特定ＰＯＥ物質の組み合わせを想到することができるものではない。
　そして、本件発明１は、ポリビニルピロリドンと特定ＰＯＥ物質を併用することによって、特定ＰＯＥ物質が水に溶解又は分散された状態で、ポリビニルピロリドンによって取り囲まれた顔料粒子が分散されているので、ポリビニルピロリドンが水和から保護され、顔料粒子の凝集や沈澱が防止される、という明細書に記載の作用効果を奏するものと認められる。
　したがって、本件発明１は、刊行物１〜４に記載された発明に基いて当業者が容易に発明をすることができたものとすることはできない。
　
　本件発明２，３について
　
　本件発明２，３はいずれも本件発明１を引用し、それを技術的に限定した発明であるから、上記と同様の理由により、刊行物１〜４に記載された発明であるとも、刊行物１〜４に記載された発明に基いて当業者が容易に発明をすることができたものとも、することはできない。
　
４．むすび
　
　以上のとおりであるから、特許異議申立ての理由及び証拠によっては、本件発明１〜３についての特許を取り消すことはできない。
　また、他に本件発明１〜３についての特許を取り消すべき理由を発見しない。
　よって、結論のとおり決定する。
【異議決定日】
平成１３年９月２１日（２００１．９．２１）
【訂正の要旨】
訂正の要旨
訂正事項Ｉ
（Ｉ−１）特許請求の範囲の請求項１について、
「【請求項１】少なくとも水と、着色材である顔料と、水溶性高分子であるポリビニルピロリドンとを含有する記録用インクにおいて、ポリオキシエチレン鎖を有する物質を含むことを特徴とする記録用インク。」を
「【請求項１】少なくとも水と、着色材である顔料と、水溶性高分子であるポリビニルピロリドンと、ポリオキシエチレン鎖を有する物質とを含有する記録用インクにおいて、
　前記ポリビニルピロリドンとして平均分子量約２千〜４０万の範囲のものを用い、
　さらに、前記ポリオキシエチレン鎖を有する物質として、ポリオキシエチレンアルキルアリールエーテル類、ポリオキシエチレンアルキルアミン類、ポリオキシエチレン脂肪酸アルカノールアミド類、ポリオキシエチレンソルビトール脂肪酸エステル類、ポリオキシエチレンアルキルアリールエーテル硫酸塩類の中から選択されたものを用いることを特徴とする記録用インク。」に訂正する。
（Ｉ−２）特許請求の範囲の請求項３，請求項４を削除する。
（Ｉ−３）特許請求の範囲の「【請求項５】」を「【請求項３】」に訂正する。
訂正事項ＩＩ
　発明の詳細な説明の段落【０００７】について、
「この目的を達成するために本発明の請求項１では、少なくとも水と、着色材である顔料と、水溶性高分子であるポリビニルピロリドンとを含有する記録用インクにおいて、ポリオキシエチレン鎖を有する物質を含むことを特徴とする。」を
「この目的を達成するために本発明の請求項１では、少なくとも水と、着色材である顔料と、水溶性高分子であるポリビニルピロリドンと、ポリオキシエチレン鎖を有する物質とを含有する記録用インクにおいて、前記ポリビニルピロリドンとして平均分子量約２干〜４０万の範囲のものを用い、さらに、前記ポリオキシエチレン鎖を有する物質として、ポリオキシエチレンアルキルアリールエーテル類、ポリオキシエチレンアルキルアミン類、ポリオキシエチレン脂肪酸アルカノールアミド類、ポリオキシエチレンソルビトール脂肪酸エステル類、ポリオキシエチレンアルキルアリールエーテル硫酸塩類の中から選択されたものを用いることを特徴とする。」に訂正する。
訂正事項ＩＩＩ
　発明の詳細な説明の段落【０００９】を削除する。
訂正事項ＩＶ
　発明の詳細な説明の段落【００１０】を削除する。
訂正事項Ｖ
　発明の詳細な説明の段落【００１１】の「請求項５では」を「請求項３では」に訂正する。
訂正事項ＶＩ
　発明の詳細な説明の段落【００１２】について、
「上記の構成を有する本発明の記録用インクでは、前記ポリオキシエチレン鎖を有する物質が、前記水に溶解又は分散することで、ポリビニルピロリドンが水和から保護される。」を
「上記の構成を有する本発明の記録用インクでは、少なくとも水と、着色材である顔料と、水溶性高分子であるポリビニルピロリドンと、ポリオキシエチレン鎖を有する物質とを含有し、前記ポリビニルピロリドンとして平均分子量約２千〜４０万の範囲のものを用い、前記ポリオキシエチレン鎖を有する上記物質の中から選択されたものが、前記水に溶解又は分散することで、ポリビニルピロリドンが水和から保護される。」に訂正する。
訂正事項ＶＩＩ
　発明の詳細な説明の段落【００４３】について、
「本発明の記録用インクによれば、前記ポリオキシエチレン鎖を有する物質が前記水に溶解又は分散された状態で、」を
「本発明の記録用インクによれば、少なくとも水と、着色材である顔料と、水溶性高分子であるポリビニルピロリドンと、ポリオキシエチレン鎖を有する物質とを含有し、前記ポリビニルピロリドンとして平均分子量約２千〜４０万の範囲のものを用い、前記ポリオキシエチレン鎖を有する上記物質の中から選択されたものが、前記水に溶解又は分散された状態で、」に訂正する。
（５４）【発明の名称】
記録用インク
（５７）【特許請求の範囲】
　【請求項１】　少なくとも水と、着色材である顔料と、水溶性高分子であるポリビニルピロリドンと
、ポリオキシエチレン鎖を有する物質と
　
前記ポリビニルピロリドンとして平均分子量約２千〜４０万の範囲のものを用い、
　
さらに、前記
として、ポリオキシエチレンアルキルアリールエーテル類、ポリオキシエチレンアルキルアミン類、ポリオキシエチレン脂肪酸アルカノールアミド類、ポリオキシエチレンソルビトール脂肪酸エステル類、ポリオキシエチレンアルキルアリールエーテル硫酸塩類の中から選択されたものを用いる
　【請求項２】　前記ポリオキシエチレン鎖を有する物質は、ｎが２以上である（ＣＨ２ＣＨ２Ｏ）ｎを有する物質であることを特徴とする請求項１記載の記録用インク。
　【請求項３】　インクを噴射して被記録媒体に印字を行うインク噴射装置に用いられることを特徴とする請求項１記載の記録用インク。
【発明の詳細な説明】
　【０００１】
　【産業上の利用分野】
　本発明は、顔料を分散させた水性の記録用インクに関する。
　【０００２】
　【従来の技術】
　従来、顔料を分散させた水性の記録用インクは、筆記具用或はインク滴をノズルから吐出するインクジェット記録用に広く使用されている。
　【０００３】
　これら従来の記録用水性インクには、主に着色剤としての顔料及び顔料を分散させるための分散剤が水溶液中に混合されており、その他にｐＨ調節剤や保湿剤を混合したものが知られている。
　【０００４】
　分散剤として、水溶性界面活性剤や水溶性高分子を使用したものが、特開平２−１０３２７４号公報及び特開平４−８５３７５号公報、特開平４−１８０９７３号公報、特開平４−１１０３６３号公報、特開平４−１８９８７６号公報、特開平５−２３９３９０号公報等で開示されている。また、特開平４−８５３７５号公報には、その水溶性高分子にポリビニルピロリドンを用いた例が開示されている。
　【０００５】
　【発明が解決しようとする課題】
　しかしながら、水溶性高分子であるポリビニルピロリドンは、水中で長時間放置すると、溶媒の水分子と相互作用を示し、相互作用した水分子は自由水としての性質を失い、その一部が結合してポリビニルピロリドン粒子と集団をつくる水和現象を起こす。このため、顔料を分散させた記録用インクの保存安定性が悪い。
　【０００６】
　本発明は、上述した問題点を解決するためになされたものであり、長期の保存安定性に優れた記録用インクを提供することにある。
　【０００７】
　【課題を解決するための手段】
　この目的を達成するために本発明の請求項１では、少なくとも水と、着色材である顔料と、水溶性高分子であるポリビニルピロリドンと
、ポリオキシエチレン鎖を有する物質と
前記ポリビニルピロリドンとして平均分子量約２千〜４０万の範囲のものを用い、さらに、前記
として、ポリオキシエチレンアルキルアリールエーテル類、ポリオキシエチレンアルキルアミン類、ポリオキシエチレン脂肪酸アルカノールアミド類、ポリオキシエチレンソルビトール脂肪酸エステル類、ポリオキシエチレンアルキルアリールエーテル硫酸塩類の中から選択されたものを用いる
　【０００８】
　請求項２では、前記ポリオキシエチレン鎖を有する物質は、ｎが２以上である（ＣＨ２ＣＨ２Ｏ）ｎを有する物質であることを特徴とする。
　【０００９】
　【００１０】
　【００１１】
　請求項
３
　【００１２】
　【作用】
　上記の構成を有する本発明の記録用インクでは、
少なくとも水と、着色材である顔料と、水溶性高分子であるポリビニルピロリドンと、ポリオキシエチレン鎖を有する物質とを含有し、前記ポリビニルピロリドンとして平均分子量約２千〜４０万の範囲のものを用い、
上記
の中から選択されたもの
　【００１３】
　【実施例】
　以下、本発明を具体化した一実施例を説明するが、本発明はこれに限定されるものではない。
　【００１４】
　本発明の記録用インクの着色剤には顔料を用い、その顔料として、各種の着色分野で使用されている無機顔料及び有機顔料を使用することができる。
　【００１５】
　その無機顔料には、黄色顔料（カドミウムイエロー、クロムイエロー、ストロンチウムイエロー、黄酸化鉄等）、赤色顔料（光明丹、朱、ベンガラ、酸化第一銅等）、紫色顔料（コバルトバイオレット等）、青色顔料（プルシアンブルー等）、緑色顔料（エメラルドグリーン、コバルトグリーン、酸化クロム等）、白色顔料（酸化チタン、亜鉛華、鉛白、リトボン等）、黒色顔料（カーボンブラック、黒鉛等）等が使用できる。
　【００１６】
　また有機顔料には、アゾ系、アクリジン系、フタロシアニン系、キナクリドン系、アントラキノン系、インダンスレン系、ジオキサジン系、インジゴ系、チオインジゴ系、ペリレン系、ペリノン系、イソインドレニン系等が使用できる。
　【００１７】
　本発明の記録用インクに用いるポリビニルピロリドンとしては、平均分子量約２千〜４０万の範囲のものが望ましく、具体的には、アイエスピー社製やビーエーエスエフ社製等のＫ価が１２、１５、１７、２５、３０、６０、８０、９０のものが使用できる。
　【００１８】
　本発明の記録用インクの主溶剤としては、低粘度であること、安全性に優れること、取扱が容易であること、コストが安いこと、臭気がないこと等の理由により主に水であり、蒸留水又はイオン交換水であることが望ましい。また必要に応じて蒸発防止剤、粘度調整剤、表面張力調節剤、ｐＨ調節剤等を使用することができる。
　【００１９】
　具体的には、蒸発防止剤及び粘度調節剤として、エチレングリコール、ジエチレングリコール、トリエチレングリコール、ポリエチレングリコール、プロピレングリコール、ジプロピレングリコール、ポリプロピレングリコール、グリセリン、１，２，６−ヘキサントリオール、ヘキシレングリコール等の多価アルコール類、エチレングリコールモノメチルエーテル、エチレングリコールモノエチルエーテル、エチレングリコールモノブチルエーテル、エチレングリコールモノアリルエーテル、ジエチレングリコールモノメチルエーテル、ジエチレングリコールモノエチルエーテル、ジエチレングリコールモノブチルエーテル、プロピレングリコールモノメチルエーテル、ジプロピレングリコールモノメチルエーテル、トリプロピレングリコールモノメチルエーテル等の多価アルコールアルキルエーテル類、エチレングリコールモノフェニルエーテル、エチレングリコールモノベンジルエーテル等の多価アルコールアリールエーテル類等が使用できる。
　【００２０】
　また表面張力調節剤としては、エチレングリコールモノメチルエーテル、エチレングリコールモノエチルエーテル、エチレングリコールモノブチルエーテル、エチレングリコールモノアリルエーテル、ジエチレングリコールモノメチルエーテル、ジエチレングリコールモノエチルエーテル、ジエチレングリコールモノブチルエーテル、プロピレングリコールモノメチルエーテル、ジプロピレングリコールモノメチルエーテル、トリプロピレングリコールモノメチルエーテル等の多価アルコールアルキルエーテル類、エチレングリコールモノフェニルエーテル、エチレングリコールモノベンジルエーテル等の多価アルコールアリールエーテル類、エタノール、２−プロパノール等の低級アルコール等が使用できる。
　【００２１】
　またｐＨ調節剤としては、モノエチルアミン、ジエチルアミン、トリエチルアミン等の有機アミン類、ジエタノールアミン、トリエタノールアミン等のアルカノールアミン類、水酸化ナトリウム、水酸化カリウム等のアルカリ金属元素の水酸化物類、炭酸ナトリウム、炭酸カリウム等のアルカリ金属元素の炭酸塩類、水酸化アンモニウム、第４級アンモニウム水酸化物類等が使用できる。
　【００２２】
　本発明の記録用インクに用いるポリオキシエチレン鎖を有する物質は、ｎが２以上である（ＣＨ２ＣＨ２Ｏ）ｎを有する物質であり、ポリオキシエチレン系界面活性剤、ポリエチレングリコール系界面活性剤等が使用できる。
　【００２３】
　具体的には、ポリオキシエチレン系界面活性剤としては、ポリオキシエチレンアルキルエーテル類（ポリオキシエチレンラウリルエーテル、ポリオキシエチレンオレイルエーテル等）、ポリオキシエチレンアルキルアリールエーテル類（ポリオキシエチレンオクチルフェニルエーテル、ポリオキシエチレンノニルフェニルエーテル等）、ポリオキシエチレンポリオキシプロピレンアルキルエーテル類（ポリオキシエチレンポリオキシプロピレンラウリルエーテル等）、ポリオキシエチレンアルキルアミン類（ポリオキシエチレンラウリルアミン、ポリオキシエチレンステアリルアミン等）、ポリオキシエチレン脂肪酸アルカノールアミド類（ポリオキシエチレンステアリン酸アミド等）、ポリオキシエチレンソルビタン脂肪酸エステル類（ポリオキエチレンソルビタンモノラウレート、ポリオキエチレンソルビタンモノオレエート等）、ポリオキシエチレンソルビトール脂肪酸エステル類（ポリオキシエチレンソルビトールテトラオレエート等）等のポリオキシエチレン系非イオン界面活性剤が使用できる。また、ポリオキシエチレンアルキルエーテル硫酸塩類（ポリオキシエチレンアルキルエーテル硫酸ナトリウム等）、ポリオキシエチレンアルキルアリールエーテル硫酸塩類（ポリオキシエチレンアルキルフェニルエーテル硫酸ナトリウム等）等のポリオキシエチレン系陰イオン界面活性剤が使用できる。
　【００２４】
　また、ポリエチレングリコール系界面活性剤としては、ポリエチレングリコール脂肪酸エステル類（ポリエチレングリコールモノラウレート、ポリエチレングリコールモノステアレート等）等のポリエチレングリコール系非イオン界面活性剤が使用できる。
　【００２５】
　本発明の記録用インクの作製時には、ボールミル、サンドミル、ロールミル、超音波ホモジナイザー等を用いて顔料の分散を行い簡便に記録用インクを作製することができる。
　【００２６】
　本発明の実施例及び比較例について、具体的に説明する。
　【００２７】
　実施例１
カーボンブラック　　　　　　　　　　　　　　　　　　　５重量％
（ＭＡ−１００：三菱化成社製）
ポリビニルピロリドン　　　　　　　　　　　　　　　　　４重量％
（Ｋ−１５：アイエスピー社）
ポリオキシエチレンノニルフェニルエーテル　　　　　　　２重量％
（エマルゲン９２０：花王社製）
グリセリン　　　　　　　　　　　　　　　　　　　　　１０重量％
トリエタノールアミン　　　　　　　　　　　　　　　　　２重量％
イオン交換水　残量。
　【００２８】
　実施例１の記録用インクの具体的な作製法を以下に述べる。はじめにイオン交換水、グリセリン、トリエタノールアミン、ポリオキシエチレンノニルフェニルエーテルを混合し、次に混合した溶液にポリビニルピロリドンを混合する。その後、カーボンブラックを混合し、前記ボールミルを用いて顔料の微細分散を行う。最後に必要に応じてゴミ等を除くために、加圧又は減圧にしてフィルター等を通して濾過して、記録用インクを作製する。
　【００２９】
　以下、本発明の実施例２〜４、比較例１〜４も同様にして記録用インクの作製を行った。
　【００３０】
　実施例２
カーボンブラック　　　　　　　　　　　　　　　　　　　５重量％
（プリンテックス９０：デグサ社製）
ポリビニルピロリドン　　　　　　　　　　　　　　　　　２重量％
（Ｋ−３０：アイエスピー社製）
ポリオキシエチレンソルビタンモノラウレート　　　　　　２重量％
（ソルボンＴ−２０：東邦化学工業社製）
プロピレングリコール　　　　　　　　　　　　　　　　１０重量％
ジエタノールアミン　　　　　　　　　　　　　　　　　　２重量％
イオン交換水　残量。
　【００３１】
　実施例３
Ｃ．Ｉ．Ｐｉｇｍｅｎｔ　Ｙｅｌｌｏｗ　１２　　　　　　３重量％
（パーマネントイエローＤＨＧ：ヘキスト社製）
ポリビニルピロリドン　　　　　　　　　　　　　　　　　２重量％
（Ｋ−３０：アイエスピー社製）
ポリエチレングリコールモノステアレート　　　　　　　　２重量％
（エマノーン３１９９：花王社製）
エチレングリコール　　　　　　　　　　　　　　　　　１０重量％
炭酸ナトリウム　　　　　　　　　　　　　　　　　　　　２重量％
イオン交換水　残量。
　【００３２】
　実施例４
Ｃ．Ｉ．Ｐｉｇｍｅｎｔ　Ｒｅｄ　５７：１　　　　　　　３重量％
（Ｉｒｇａｌｉｔｅ　ルビー４ＢＬ：チバガイギー社製）
ポリビニルピロリドン　　　　　　　　　　　　　　　　　２重量％
（Ｋ−３０：アイエスピー社製）
ポリオキシエチレンアルキルエーテル硫酸ナトリウム　　　２重量％
（レベノールＷＸ：花王社製）
エチレングリコールモノメチルエーテル　　　　　　　　１０重量％
水酸化アンモニウム　　　　　　　　　　　　　　　　　　２重量％
イオン交換水　残量。
　【００３３】
　比較例１
　実施例１に於いて、ポリオキシエチレンノニルフェニルエーテルを含まない記録用インク。
　【００３４】
　比較例２
実施例２に於いて、ポリオキシエチレンソルビタンモノラウレートを含まない記録用インク。
　【００３５】
　比較例３
実施例３に於いて、ポリエチレングリコールモノステアレートを含まない記録用インク。
　【００３６】
　比較例４
実施例４に於いて、ポリオキシエチレンアルキルエーテル硫酸ナトリウムを含まない記録用インク。
　【００３７】
　次に、上述した実施例及び比較例の記録用インクの評価方法について説明する。各記録用インクをガラス製サンプル瓶に入れ、密閉した状態で、環境温度−２０℃、５０℃、７０℃の恒温槽中に２カ月保存し、それぞれ保存後の顔料粒子凝集塊の有無、沈澱物析出の有無を調べ、何の変化も現れないものを○と判定した。この評価結果を図１に示す。図から明らかなように、実施例１〜４の記録用インクは、全ての環境温度−２０℃、５０℃、７０℃において、顔料粒子凝集塊が無く、沈澱物析出が無く、保存安定性が良好であった。
　【００３８】
　そして、比較例１，２の記録用インクは、環境温度−２０℃において沈澱物があり、環境温度５０℃、７０℃において凝集塊があった。比較例３，４の記録用インクは、環境温度−２０℃、５０℃、７０℃において凝集塊があった。このように、比較例１〜４の記録用インクは、全ての環境温度−２０℃、５０℃、７０℃において変化が有り、保存安定性に劣る。
　【００３９】
　尚、本実施例の保存安定性試験では、常温における試験を行っていないが、常温における保存安定性試験は長期にわたるため、本実施例のように、環境温度を５０℃や７０℃の状態にすることによって、常温における長期の保存安定性試験を行ったものと同様の結果を短期間で得ることができる。このような試験は、一般的に加速試験と呼ばれ周知である。また、このような試験によって、記録用インクの常温における長期の保存安定性、環境温度−２０℃、５０℃、７０℃での保存安定性を評価することができる。
　【００４０】
　本実施例の記録用インクでは、ポリオキシエチレンノニルフェニルエーテル等のポリオキシエチレン鎖を有する物質が含有されており、ポリオキシエチレンノニルフェニルエーテルが水に溶解した状態で、ポリビニルピロリドンによって取り囲まれた顔料粒子が分散されているので、ポリビニルピロリドンが水和から保護され、顔料粒子の凝集や沈澱が防止される。
　【００４１】
　また、上述した実施例１〜４の記録用インクを、特開平２−１５０３５５号公報に開示されているせん断モード型のインク噴射装置に用いて、印字を行った。その結果、ノズルの目詰まりが発生することなく良好に印字が行え、印字後の記録用インクの乾燥が速く、耐水性、耐摩擦性、指触性に優れていた。
　【００４２】
　また、特公昭５３−１２１３８号公報に開示されているカイザー型や特公昭６１−５９９１４号公報に開示されているサーマルジェット型のインク噴射装置に、上記の条件の記録用インクを用いて印字を行った結果、同様の効果が得られた。
　【００４３】
　【発明の効果】
　以上説明したことから明かなように、本発明の記録用インクによれば、
少なくとも水と、着色材である顔料と、水溶性高分子であるポリビニルピロリドンと、ポリオキシエチレン鎖を有する物質とを含有し、前記ポリビニルピロリドンとして平均分子量約２千〜４０万の範囲のものを用い、
上記
の中から選択されたもの
【図面の簡単な説明】
　【図１】
　本発明の実施例及び比較例の保存安定性の評価を示す説明図である。